(57)【要約】【課題】複数の無線伝送装置からなる無線伝送システムにおいて、無線通信装置間のＣＥＣメッセージの伝送を可能とする無線伝送方法及び装置を提供する。【解決手段】無線伝送装置１００が無線伝送装置１０１に対してＣＥＣメッセージを送信する際、無線伝送装置１００は所定の間隔で有線インタフェースをサンプリングし、サンプリングしたデータを無線伝送装置１０１に無線送信し、有線インタフェースによりヘッダブロックもしくはデータブロックのＡＣＫビットの開始を検出したとき、有線インタフェースに‘０’出力を保持し、無線伝送装置１０１から受信成功を示す無線ＡＣＫパケットを受信したときに有線インタフェースに‘０’出力を規定時間保持する。【選択図】図３
2007214952.tif 000002
【特許請求の範囲】
【請求項１】
それぞれＨＤＭＩにおけるＣＥＣメッセージを送受信する第１及び第２の伝送装置を含む複数の伝送装置を備えた無線伝送システムの無線伝送方法において、
上記第１の伝送装置及び上記第２の伝送装置はそれぞれ有線インタフェース及び無線インタフェースを備え、
上記第１の伝送装置が所定の間隔で有線インタフェースをサンプリングするステップと、
上記第１の伝送装置がサンプリングしたデータを上記第２の伝送装置に無線送信するステップと、
上記第２の伝送装置が無線インタフェースにより受信するステップと、
上記第２の伝送装置が受信したデータに基づく波形を有線インタフェースに出力するステップとを含むことを特徴とする無線伝送方法。
【請求項２】
それぞれＨＤＭＩにおけるＣＥＣメッセージを送受信する第１及び第２の伝送装置を含む複数の伝送装置を備えた無線伝送システムの無線伝送方法において、
上記第１の伝送装置及び第２の伝送装置はそれぞれ無線インタフェース及び内部バスを備え、
上記第１の伝送装置が所定の間隔で内部バスをサンプリングするステップと、
上記第１の伝送装置がサンプリングしたデータを上記第２の伝送装置に無線伝送するステップと、
上記第２の伝送装置が無線インタフェースにより受信するステップと、
上記第２の伝送装置が受信したデータに基づく波形を内部バスに出力するステップとを含むことを特徴とする無線伝送方法。
【請求項３】
それぞれＨＤＭＩにおけるＣＥＣメッセージを送受信する第１及び第２の伝送装置を含む複数の伝送装置を備えた無線伝送システムの無線伝送方法において、
上記第１の伝送装置は有線インタフェース及び無線インタフェースを備え、
上記第１の伝送装置が有線インタフェースによりヘッダブロックもしくはデータブロックのＡＣＫビットの開始を検出したとき、有線インタフェースに‘０’出力を保持するステップを含むことを特徴とする無線伝送方法。
【請求項４】
上記第１の伝送装置が上記第２の伝送装置から受信成功を示す無線ＡＣＫパケットを受信したときに有線インタフェースに‘０’出力を保持するステップをさらに含むことを特徴とする請求項３記載の無線伝送方法。
【請求項５】
上記第１の伝送装置が上記第２の伝送装置から受信失敗を示す無線ＮＡＣＫパケットを受信したときに有線インタフェースに‘０’出力を解除するステップをさらに含むことを特徴とする請求項３記載の無線伝送方法。
【請求項６】
それぞれＨＤＭＩにおけるＣＥＣメッセージを送受信する第１及び第２の伝送装置を含む複数の伝送装置を備えた無線伝送システムの無線伝送方法において、
上記第１の伝送装置は無線インタフェースを備え、
上記第１の伝送装置が内部バスによりヘッダブロックもしくはデータブロックのＡＣＫビットの開始を検出したとき、内部バスに‘０’を出力するステップを含むことを特徴とする無線伝送方法。
【請求項７】
上記第１の伝送装置が上記第２の伝送装置から受信成功を示す無線ＡＣＫパケットを受信したときに内部バスへの‘０’出力を保持するステップをさらに含むことを特徴とする請求項６記載の無線伝送方法。
【請求項８】
上記第１の伝送装置が上記第２の伝送装置から受信失敗を示す無線ＮＡＣＫパケットを受信したときに内部バスへの‘０’出力を解除するステップをさらに含むことを特徴とする請求項６記載の無線伝送方法。
【請求項９】
ＨＤＭＩにおけるＣＥＣメッセージを送受信し、有線インタフェース及び無線インタフェースを備えた無線伝送装置において、
所定の間隔で上記有線インタフェースをサンプリングする手段と、
サンプリングしたデータを他の伝送装置に無線伝送する手段とを備えたことを特徴とする無線伝送装置。
【請求項１０】
ＨＤＭＩにおけるＣＥＣメッセージを送受信し、有線インタフェース及び無線インタフェースを備えた無線伝送装置において、
上記無線インタフェースにより他の伝送装置から受信したデータに基づく波形を上記有線インタフェースに出力する手段とを備えたことを特徴とする無線伝送装置。
【請求項１１】
ＨＤＭＩにおけるＣＥＣメッセージを送受信し、無線インタフェース及び内部バスを備えた無線伝送装置において、
所定の間隔で上記内部バスをサンプリングする手段と、
サンプリングしたデータを他の伝送装置に無線伝送する手段とを備えたことを特徴とする無線伝送装置。
【請求項１２】
ＨＤＭＩにおけるＣＥＣメッセージを送受信し、無線インタフェース及び内部バスを備えた無線伝送装置において、
上記無線インタフェースによって他の伝送装置から受信したデータに基づく波形を上記内部バスに出力することを特徴とする無線伝送装置
【請求項１３】
ＨＤＭＩにおけるＣＥＣメッセージを送受信し、有線インタフェース及び無線インタフェースを備えた無線伝送装置において、
上記有線インタフェースによりヘッダブロックもしくはデータブロックのＡＣＫビットの開始を検出したとき、上記有線インタフェースに‘０’出力を保持する手段を備えたことを特徴とする無線伝送装置。
【請求項１４】
他の伝送装置から受信成功を示す無線ＡＣＫパケットを受信したときに上記有線インタフェースに‘０’出力を保持する手段をさらに備えたことを特徴とする請求項１３記載の無線伝送装置。
【請求項１５】
他の伝送装置から受信失敗を示す無線ＮＡＣＫパケットを受信したときに上記有線インタフェースに‘０’出力を解除する手段をさらに備えたことを特徴とする請求項１３記載の無線伝送装置。
【請求項１６】
ＨＤＭＩにおけるＣＥＣメッセージを送受信し、無線インタフェース及び内部バスを備えた無線伝送装置において、
上記内部バスによりヘッダブロックもしくはデータブロックのＡＣＫビットの開始を検出したとき、上記内部バスに‘０’出力を保持する手段を備えたことを特徴とする無線伝送装置。
【請求項１７】
他の伝送装置から受信成功を示す無線ＡＣＫパケットを受信したときに上記内部バスに‘０’出力を保持する手段をさらに備えたことを特徴とする請求項１６記載の無線伝送装置。
【請求項１８】
他の伝送装置から受信失敗を示す無線ＮＡＣＫパケットを受信したときに上記内部バスに‘０’出力を解除する手段をさらに備えたことを特徴とする請求項１６記載の無線伝送装置。
【発明の詳細な説明】
【技術分野】
【０００１】
本発明は、複数の無線伝送装置間でＨＤＭＩにおけるＣＥＣメッセージの伝送を可能とした無線伝送方法及び装置に関する。
【背景技術】
【０００２】
従来のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のＣＥＣ（Ｃｏｎｓｕｍｅｒ  Ｅｌｅｃｔｒｏｎｉｃｓ  Ｃｏｎｔｒｏｌ）メッセージを利用するものとしては、有線で伝送するものがあった（例えば、特許文献１参照）。ここでＨＤＭＩとは、非特許文献１で規格化されているものである。
【０００３】
送信側装置及び受信側装置２つの装置がＨＤＭＩにより有線接続され、送信側装置から受信側装置にＣＥＣメッセージを送信する場合のＣＥＣメッセージの伝送方法について説明する。送信側装置から送信されるＣＥＣメッセージは、１つのフレームに格納され受信側装置に伝送される。
【０００４】
図７は従来例、第１の実施形態及び第２の実施形態に係るＣＥＣフレームのフォーマットの一例を示す図であり、図８は従来例、第１の実施形態及び第２の実施形態に係るヘッダブロック／データブロックのフォーマットの一例を示す図である。ＣＥＣフレーム７００は、１ビットのスタートビット７０１、１つのヘッダブロック７０２、０個以上のデータブロック７０３により構成される。スタートビット７０１はＣＥＣフレームの最初であることを示すビットであり、規定のパルス波形を伝送路に出力する。ヘッダブロック７０２及びデータブロック７０３は、同様の構成をしており、８ビットの情報ビット８０１、１ビットのＥＯＭ（Ｅｎｄ  ｏｆ  Ｍｅｓｓａｇｅ）ビット８０２、１ビットのＡＣＫビット８０３により構成される。
【０００５】
ヘッダブロック７０２の情報ビット８０１には、４ビットの送信側装置の論理アドレス及び４ビットの受信側装置の論理アドレスが格納される。データブロック７０３の情報ビット８０１には、受信側装置に対する操作を示すコードなどが格納される。ＥＯＭビット８０２は、データブロックがＣＥＣフレームの最後のデータブロックである場合は‘１’にセットされ、そうでない場合は‘０’にセットされる。また、ＡＣＫビット８０３は、ヘッダブロック及びデータブロックが受信側装置に正しく受信されたか否かを判別するためのビットであり、送信側装置により‘１’がセットされる。受信側装置がヘッダブロック及びデータブロックを正しく受信した場合は、ＡＣＫビット８０３に‘０’を出力する。
【０００６】
ヘッダブロック及びデータブロックにおいては、ビットの値‘０’及び‘１’を示すパルス波形が伝送路に連続的に出力される。受信側装置では、スタートビット７０１を検出後、ヘッダブロック７０２、データブロック７０３を示すパルス波形を規定タイミングでサンプリングすることにより、データを受信する。
【０００７】
また、複数の装置が接続されている場合にもバス接続であるので、送信側装置と受信側装置で同様の動作を行うことができる。
【０００８】
【特許文献１】特開２００５−５２８８５３号公報。
【非特許文献１】High-Definition Multimedia Interface Specification, Version1.1, HDMI Licensing, LLC, California in U.S.A., May 20,2004。
【発明の開示】
【発明が解決しようとする課題】
【０００９】
しかしながら、送信側装置と受信側装置間に無線が介在すると、ヘッダブロック及びデータブロックのＡＣＫビット８０３の規定のタイミングで受信側装置が‘０’を返信することができないため、送信側装置において、ＣＥＣフレームの再送が生じる。しかしながら、再送されたＣＥＣフレームに対しても同様にＡＣＫビットの規定のタイミングで受信側装置が‘０’を返信することができない。すなわち、送信側装置において、再送が複数回行われたとしても、ＣＥＣメッセージを送信側装置から受信側装置に無線を用いて伝送することは不可能であるという課題を有していた。
【００１０】
本発明の目的は以上の問題点を解決し、無線伝送装置間でＣＥＣメッセージの伝送を可能とした無線伝送方法及び装置を提供することにある。
【課題を解決するための手段】
【００１１】
第１の発明に係る無線伝送方法は、それぞれＨＤＭＩにおけるＣＥＣメッセージを送受信する第１及び第２の伝送装置を含む複数の伝送装置を備えた無線伝送システムの無線伝送方法において、
上記第１の伝送装置及び上記第２の伝送装置はそれぞれ有線インタフェース及び無線インタフェースを備え、
上記第１の伝送装置が所定の間隔で有線インタフェースをサンプリングするステップと、
上記第１の伝送装置がサンプリングしたデータを上記第２の伝送装置に無線送信するステップと、
上記第２の伝送装置が無線インタフェースにより受信するステップと、
上記第２の伝送装置が受信したデータに基づく波形を有線インタフェースに出力するステップとを含むことを特徴とする。
【００１２】
第２の発明に係る無線伝送方法は、それぞれＨＤＭＩにおけるＣＥＣメッセージを送受信する第１及び第２の伝送装置を含む複数の伝送装置を備えた無線伝送システムの無線伝送方法において、
上記第１の伝送装置及び第２の伝送装置はそれぞれ無線インタフェース及び内部バスを備え、
上記第１の伝送装置が所定の間隔で内部バスをサンプリングするステップと、
上記第１の伝送装置がサンプリングしたデータを上記第２の伝送装置に無線伝送するステップと、
上記第２の伝送装置が無線インタフェースにより受信するステップと、
上記第２の伝送装置が受信したデータに基づく波形を内部バスに出力するステップとを含むことを特徴とする。
【００１３】
第３の発明に係る無線伝送方法は、それぞれＨＤＭＩにおけるＣＥＣメッセージを送受信する第１及び第２の伝送装置を含む複数の伝送装置を備えた無線伝送システムの無線伝送方法において、
上記第１の伝送装置は有線インタフェース及び無線インタフェースを備え、
上記第１の伝送装置が有線インタフェースによりヘッダブロックもしくはデータブロックのＡＣＫビットの開始を検出したとき、有線インタフェースに‘０’出力を保持するステップを含むことを特徴とする。
【００１４】
上記無線伝送方法において、上記第１の伝送装置が上記第２の伝送装置から受信成功を示す無線ＡＣＫパケットを受信したときに有線インタフェースに‘０’出力を保持するステップをさらに含むことを特徴とする。
【００１５】
また、上記無線伝送方法において、上記第１の伝送装置が上記第２の伝送装置から受信失敗を示す無線ＮＡＣＫパケットを受信したときに有線インタフェースに‘０’出力を解除するステップをさらに含むことを特徴とする。
【００１６】
第４の発明に係る無線伝送方法は、それぞれＨＤＭＩにおけるＣＥＣメッセージを送受信する第１及び第２の伝送装置を含む複数の伝送装置を備えた無線伝送システムの無線伝送方法において、
上記第１の伝送装置は無線インタフェースを備え、
上記第１の伝送装置が内部バスによりヘッダブロックもしくはデータブロックのＡＣＫビットの開始を検出したとき、内部バスに‘０’を出力するステップを含むことを特徴とする。
【００１７】
上記無線伝送方法において、上記第１の伝送装置が上記第２の伝送装置から受信成功を示す無線ＡＣＫパケットを受信したときに内部バスへの‘０’出力を保持するステップをさらに含むことを特徴とする。
【００１８】
また、上記無線伝送方法において、上記第１の伝送装置が上記第２の伝送装置から受信失敗を示す無線ＮＡＣＫパケットを受信したときに内部バスへの‘０’出力を解除するステップをさらに含むことを特徴とする。
【００１９】
第５の発明に係る無線伝送方法は、ＨＤＭＩにおけるＣＥＣメッセージを送受信し、有線インタフェース及び無線インタフェースを備えた無線伝送装置において、
所定の間隔で上記有線インタフェースをサンプリングする手段と、
サンプリングしたデータを他の伝送装置に無線伝送する手段とを備えたことを特徴とする。
【００２０】
第６の発明に係る無線伝送方法は、ＨＤＭＩにおけるＣＥＣメッセージを送受信し、有線インタフェース及び無線インタフェースを備えた無線伝送装置において、
上記無線インタフェースにより他の伝送装置から受信したデータに基づく波形を上記有線インタフェースに出力する手段とを備えたことを特徴とする。
【００２１】
第７の発明に係る無線伝送方法は、ＨＤＭＩにおけるＣＥＣメッセージを送受信し、無線インタフェース及び内部バスを備えた無線伝送装置において、
所定の間隔で上記内部バスをサンプリングする手段と、
サンプリングしたデータを他の伝送装置に無線伝送する手段とを備えたことを特徴とする。
【００２２】
第８の発明に係る無線伝送装置は、ＨＤＭＩにおけるＣＥＣメッセージを送受信し、無線インタフェース及び内部バスを備えた無線伝送装置において、
上記無線インタフェースによって他の伝送装置から受信したデータに基づく波形を上記内部バスに出力することを特徴とする。
【００２３】
第９の発明に係る無線伝送装置は、ＨＤＭＩにおけるＣＥＣメッセージを送受信し、有線インタフェース及び無線インタフェースを備えた無線伝送装置において、
上記有線インタフェースによりヘッダブロックもしくはデータブロックのＡＣＫビットの開始を検出したとき、上記有線インタフェースに‘０’出力を保持する手段を備えたことを特徴とする。
【００２４】
上記無線伝送装置において、他の伝送装置から受信成功を示す無線ＡＣＫパケットを受信したときに上記有線インタフェースに‘０’出力を保持する手段をさらに備えたことを特徴とする。
【００２５】
また、上記無線伝送装置において、他の伝送装置から受信失敗を示す無線ＮＡＣＫパケットを受信したときに上記有線インタフェースに‘０’出力を解除する手段をさらに備えたことを特徴とする。
【００２６】
第１０の発明に係る無線伝送装置は、ＨＤＭＩにおけるＣＥＣメッセージを送受信し、無線インタフェース及び内部バスを備えた無線伝送装置において、
上記内部バスによりヘッダブロックもしくはデータブロックのＡＣＫビットの開始を検出したとき、上記内部バスに‘０’出力を保持する手段を備えたことを特徴とする。
【００２７】
上記無線伝送装置において、他の伝送装置から受信成功を示す無線ＡＣＫパケットを受信したときに上記内部バスに‘０’出力を保持する手段をさらに備えたことを特徴とする。
【００２８】
また、上記無線伝送装置において、他の伝送装置から受信失敗を示す無線ＮＡＣＫパケットを受信したときに上記内部バスに‘０’出力を解除する手段をさらに備えたことを特徴とする。
【発明の効果】
【００２９】
従って、本発明に係る無線伝送方法及び装置によれば、無線伝送装置間のＣＥＣメッセージの伝送が可能となり、装置間の制御を行うことができ、ユーザの利便性の向上を図ることができる。
【発明を実施するための最良の形態】
【００３０】
以下、本発明に係る実施形態について図面を参照して説明する。なお、以下の各実施形態において、同様の構成要素については同一の符号を付している。
【００３１】
第１の実施形態．
図１は、本発明に係る第１の実施形態であるシステムの構成を示す図である。図１において、無線伝送装置１００及び１０１は無線インタフェースを具備する無線伝送装置であり、無線伝送装置１００と無線伝送装置１０１は無線インタフェースを用いてデータ伝送を行う。
【００３２】
図２は、本発明の第１の実施形態に係る無線伝送装置１００，１０１の構成を示すブロック図である。図２において、無線伝送部２０１は電波の送受信及び変復調などの無線伝送処理を行うブロックであり、制御部２０２は無線伝送部２０１の制御を行うブロックであり、ＣＥＣ制御部２０３はＣＥＣメッセージの送受信を行うブロックである。各無線伝送装置には、画像を表示するブロックや記憶媒体からデータを読み出すブロックなどが具備されている場合があるが第１の実施形態では省略している。
【００３３】
本発明に係る第１の実施形態における処理について、図３、図４の無線伝送装置１００，１０１によって実行される処理を示すフローチャート、及び図５、図６の無線伝送装置１００，１０１間のシーケンス図を用いて説明する。第１の実施形態では、無線伝送装置１００から無線伝送装置１０１にデータを伝送する場合について説明する。この場合、図３は図２の無線伝送装置１００の制御部２０２によって実行される処理を示すフローチャートであり、図４は図２の無線伝送装置１０１の制御部２０２によって実行される処理を示すフローチャートである。
【００３４】
図９は、図３及び図４の無線データパケットのフォーマットの一例を示す図である。ＭＡＣヘッダ９０１は、宛先ＭＡＣアドレスなどの情報を含むヘッダを格納する領域であり、サンプリングデータ９０２はサンプリングにより得られたデータを格納する領域である。サンプリングデータ９０２は、サンプリングによって得られた値、もしくは前回のサンプリングからの変化を示す値である。
【００３５】
図１０は、図３及び図４の無線ＡＣＫパケット及び無線ＮＡＣＫパケットのフォーマットの一例を示す図である。ＭＡＣヘッダ１００１は、宛先ＭＡＣアドレスなどの情報を含むヘッダを格納する領域であり、ＡＣＫ／ＮＡＣＫ１００２はＡＣＫもしくはＮＡＣＫを示す値を格納する領域である。
【００３６】
図３は、図２の無線伝送装置１００の制御部２０２によって実行されるデータ送信処理を示すフローチャートである。図３において、まず、ステップＳ３０１においてＣＥＣ制御部２０３に接続されているバスのパルス波形を規定の周期でサンプリングする。サンプリングした値は、所定の閾値によって‘０’及び‘１’の２値データとして表現される。ステップＳ３０２においてサンプリングしたデータ‘０’または‘１’を含む無線データパケット９００をブロードキャスト送信することを無線伝送部２０１に指示する。ここで、前回のサンプリングから変化した場合のみ、前回のサンプリングからの変化を示す無線データパケット、例えば‘０’から‘１’に変化した場合に‘１’をセットし、‘１’から‘０’に変化した場合に‘０’をセットした無線データパケットを送信してもよい。
【００３７】
次いで、ステップＳ３０３においてサンプリングしたデータがＡＣＫビットの開始を示すか否かを判断する。ＡＣＫビットは図８に示したようにヘッダブロック及びデータブロックの先頭から１０ビット目である。ＮＯのときは、すなわち、ヘッダブロック及びデータブロックの先頭から１０ビット目以外のときは当該データ送信処理を終了する一方、ＹＥＳのときはステップＳ３０５に進み、バスを‘０’に保持する。ステップＳ３０６において所定の時間内に無線パケットを受信したか否かを判断し、ＮＯのときはステップＳ３１０に進み、バスへの‘０’出力を解除する一方、ＹＥＳのときはステップＳ３０７に進み、受信した無線パケットの種別がＡＣＫであるか否かを判断する。ＮＯのときはステップＳ３１０に進み、バスへの‘０’出力を解除する一方、ＹＥＳのときはステップＳ３０８に進み、バスへの出力を‘０’に保持した状態で、ステップＳ３０９において所定の時間経過した後、ステップＳ３１０においてバスへの‘０’出力を直ちに解除する。
【００３８】
図４は、図２の無線伝送装置１０１の制御部２０２によって実行されるデータ受信処理を示すフローチャートである。図４において、まず、ステップＳ４０１において無線データパケット９００を受信した後、ステップＳ４０２において無線データパケット９００に含まれるサンプリングデータ９０２を元にＣＥＣ制御部２０３に接続されているバスにパルス波形を出力する。ステップＳ４０３において出力したパルス波形がＡＣＫビットの開始を示すか否かを判断し、ＮＯのときは、すなわちヘッダブロック及びデータブロックの先頭から１０ビット目以外のときは当該データ受信処理を終了する一方、ＹＥＳのときはステップＳ４０５に進み、所定のタイミングでバスをサンプリングする。ステップＳ４０６においてサンプリングした値が‘０’であるか否かを判断し、ＹＥＳのときはステップＳ４０７に進み、無線ＡＣＫパケットを無線インタフェースにより送信する一方、ＮＯのときはステップＳ４０８に進み、無線ＮＡＣＫパケットを無線インタフェースにより送信する。
【００３９】
図５は図１の無線伝送装置１０１がＣＥＣメッセージを正常に受信できたときの無線伝送装置１００，１０１間のシーケンス図であり、図６は図１の無線伝送装置１０１がＣＥＣメッセージを正常に受信できなかったときの無線伝送装置１００，１０１間のシーケンス図である。ここでは、無線伝送装置１００が無線伝送装置１０１にＣＥＣメッセージを送信する場合であり、データブロックの８番目のビットを伝送する時点から説明するが、スタートビット及びデータブロックの０から７番目のビットについても８番目のビットを伝送するときと同様の動作を行う。
【００４０】
図５において、まず、無線伝送装置１００はデータブロックの８ビット目の開始を示す無線データパケット５０１をブロードキャスト送信する。無線データパケット５０１には、バス出力が‘１’から‘０’に変化したことを示すサンプリングデータが含まれる。無線伝送装置１０１は無線データパケット５０１を受信した後、それに含まれるサンプリングデータを参照し、バスに‘０’を出力する。次いで、無線伝送装置１００は、バス出力が‘０’から‘１’に変化したとき、バス出力が‘０’から‘１’に変化したことを示すサンプリングデータが含まれる無線データパケット５０２をブロードキャスト送信する。無線伝送装置１０１は無線データパケット５０２を受信した後、それに含まれるサンプリングデータを参照し、バスに‘１’を出力する。
【００４１】
同様に、ＥＯＭビットを示すサンプリングデータ５０３及び５０４のブロードキャスト送信を行い、無線伝送装置１０１でＥＯＭビットを示すパルス波形がバスに出力される。次いで、無線伝送装置１００は、バス出力が‘１’から‘０’に変化したことを示すサンプリングデータが含まれる無線データパケット５０５をブロードキャスト送信する。このとき、無線伝送装置１００はデータブロックもしくはヘッダブロックのＡＣＫビット、すなわち各ブロックの先頭から１０番目のビットであるので、バス出力を‘０’に保持する。無線伝送装置１０１は無線データパケット５０５を受信した後、それに含まれるサンプリングデータを参照し、バスに‘０’を出力する。無線伝送装置１０１は所定の時間経過した後、バスをサンプリング（５０６）する。無線伝送装置１０１はサンプリングした値が‘０’である場合は、無線伝送装置１００に無線ＡＣＫパケット５０７を出力する。無線伝送装置１００は無線ＡＣＫパケット５０７を受信したときは、バス出力を‘０’に保持する。無線伝送装置１００のＣＥＣ制御部２０３は所定のタイミングでバスをサンプリング（５０８）する。サンプリングした値が‘０’であるので、無線伝送装置１００のＣＥＣ制御部２０３は、受信側の伝送装置が正常にデータを受信できたことを認識する。
【００４２】
図６において、無線伝送装置１０１が無線データパケット５０５を受信し、バスに‘０’を出力するまでの動作は図５と同様であるので説明を省略する。無線伝送装置１０１は所定の時間経過した後、バスをサンプリング（６０６）する。無線伝送装置１０１はサンプリングした値が‘１’である場合は、無線伝送装置１００に無線ＮＡＣＫパケット６０７を出力する。無線伝送装置１００は無線ＮＡＣＫパケット６０７を受信したときは、バスへの‘０’出力を解除する。無線伝送装置１００のＣＥＣ制御部２０３は所定のタイミングでバスをサンプリング（６０８）する。サンプリングした値が‘１’であるので、無線伝送装置１００のＣＥＣ制御部２０３は、受信側の伝送装置が正常にデータを受信できなかったことを認識する。
【００４３】
以上説明したように、第１の実施形態によれば、無線伝送装置１００は所定の間隔で内部バスをサンプリングし、サンプリングしたデータを無線伝送装置１０１に無線送信し、内部バスによりヘッダブロックもしくはデータブロックのＡＣＫビットの開始を検出したとき、内部バスに‘０’出力を保持し、無線伝送装置１０１から受信成功を示す無線ＡＣＫパケットを受信したときに内部バスに‘０’出力を規定時間保持し、無線ＮＡＣＫパケットを受信したときに内部バスに‘０’出力を解除する。これにより、無線伝送装置間においてＣＥＣメッセージの伝送が可能となる。
【００４４】
以上の第１の実施形態においては、パケットフォーマットの一例を示したが、同様の効果を示すものであれば、異なるフォーマットを用いてもよい。
【００４５】
第２の実施形態．
図１１は、本発明に係る第２の実施形態であるシステムの構成を示す図である。図１１において、無線伝送装置１１００及び１１０１は無線インタフェース及び有線インタフェースを具備する無線伝送装置であり、伝送装置１１０２及び１１０３は無線伝送装置１１００及び１１０１と同様の有線インタフェースを具備する伝送装置である。無線伝送装置１１００と伝送装置１１０２及び無線伝送装置１１０１と伝送装置１１０３は有線インタフェースを用いてデータの伝送を行い、無線伝送装置１１００と無線伝送装置１１０１は無線インタフェースを用いてデータの伝送を行う。
【００４６】
図１２は、本発明の第２の実施形態に係る無線伝送装置１１００，１１０１の構成を示すブロック図である。図１２において、ブロック２０１から２０３は図２と同様であるので、説明を省略する。有線伝送部１２０４は有線における伝送処理を行うブロックである。各無線伝送装置には、画像を表示するブロックや記憶媒体からデータを読み出すブロックなどが具備されている場合があるが第２の実施形態では省略している。
【００４７】
第２の実施形態では、無線伝送装置１１００に有線接続された伝送装置１１０２から無線伝送装置１１０１に有線接続された伝送装置１１０３にデータを伝送する場合について説明する。図３は図１２の無線伝送装置１１００の制御部２０２によって実行されるデータ送信処理を示すフローチャートであり、図４は図１２の無線伝送装置１１０１の制御部２０２によって実行されるデータ受信処理を示すフローチャートである。
【００４８】
ここで、無線伝送装置１１００のＣＥＣ制御部２０３と無線伝送装置１１０２のＣＥＣ制御部は有線によって同一のバスに接続されており、無線伝送装置１１０１のＣＥＣ制御部２０３と伝送装置１１０３のＣＥＣ制御部は有線によって同一のバスに接続されている。すなわち、無線伝送装置１１００の制御部２０２が第１の実施形態における無線伝送装置１００の制御部２０２の処理と同様の処理を行い、無線伝送装置１１０１の制御部２０２が第１の実施形態における無線伝送装置１０１の制御部２０２の処理と同様の処理を行うことにより、伝送装置１１０２から伝送装置１１０３にＣＥＣメッセージを伝送できる。上記以外について、図３及び図４のフローチャートは第１の実施形態と同様であるため説明を省略する。
【００４９】
以上説明したように、第２の実施形態によれば、無線伝送装置１１００は所定の間隔で有線インタフェースをサンプリングし、サンプリングしたデータを無線伝送装置１１０１に無線送信し、有線インタフェースによりヘッダブロックもしくはデータブロックのＡＣＫビットの開始を検出したとき、有線インタフェースに‘０’出力を保持し、無線伝送装置１１０１から受信成功を示す無線ＡＣＫパケットを受信したときに有線インタフェースに‘０’出力を規定時間保持し、無線ＮＡＣＫパケットを受信したときに有線インタフェースに‘０’出力を解除する。これにより、無線伝送装置間においてＣＥＣメッセージの伝送が可能となる。
【００５０】
以上の第２の実施形態においては、パケットフォーマットの一例を示したが、同様の効果を示すものであれば、異なるフォーマットを用いてもよい。
【産業上の利用可能性】
【００５１】
本発明に係る無線伝送方法及び装置は、無線を用いて装置間の制御メッセージの伝送を可能とする効果を有し、装置間で連携して動作を行う無線伝送装置等として有用である。
【図面の簡単な説明】
【００５２】
【図１】本発明に係る第１の実施形態であるシステムの構成を示す図である。
【図２】本発明の第１の実施形態に係る無線伝送装置１００，１０１の構成を示すブロック図である。
【図３】図２の無線伝送装置１００の制御部２０２及び図１２の無線伝送装置１１００の制御部２０２によって実行されるデータ送信処理を示すフローチャートである。
【図４】図２の無線伝送装置１０１の制御部２０２及び図１２の無線伝送装置１１０１の制御部２０２によって実行されるデータ受信処理を示すフローチャートである。
【図５】図１の無線伝送装置１０１がＣＥＣメッセージを正常に受信できたときの無線伝送装置１００，１０１間のシーケンス図である。
【図６】図１の無線伝送装置１０１がＣＥＣメッセージを正常に受信できなかったときの無線伝送装置１００，１０１間のシーケンス図である。
【図７】従来例、第１の実施形態及び第２の実施形態に係るＣＥＣフレームのフォーマットの一例を示す図である。
【図８】従来例、第１の実施形態及び第２の実施形態に係るヘッダブロック／データブロックのフォーマットの一例を示す図である。
【図９】図３及び図４の無線データパケットのフォーマットの一例を示す図である。
【図１０】図３及び図４の無線ＡＣＫパケット及び無線ＮＡＣＫパケットのフォーマットの一例を示す図である。
【図１１】本発明に係る第２の実施形態であるシステムの構成を示す図である。
【図１２】本発明の第２の実施形態に係る無線伝送装置１１００，１１０１の構成を示すブロック図である。
【符号の説明】
【００５３】
１００，１０１，１１００，１１０１…無線伝送装置、
２０１…無線伝送部、
２０２…制御部、
２０３…ＣＥＣ制御部、
７０１…スタートビット、
７０２…ヘッダブロック、
７０３…データブロック、
８０１…情報ビット、
８０２…ＥＯＭビット、
８０３…ＡＣＫビット、
９０１，１００１…ＭＡＣヘッダフィールド、
９０２…サンプリングデータフィールド、
１００２…ＡＣＫ／ＮＡＣＫフィールド、
１１０２，１１０３…伝送装置、
１２０４…有線伝送部。
【図１】
2007214952.tif 000003
【図２】
2007214952.tif 000004
【図３】
2007214952.tif 000005
【図４】
2007214952.tif 000006
【図５】
2007214952.tif 000007
【図６】
2007214952.tif 000008
【図７】
2007214952.tif 000009
【図８】
2007214952.tif 000010
【図９】
2007214952.tif 000011
【図１０】
2007214952.tif 000012
【図１１】
2007214952.tif 000013
【図１２】
2007214952.tif 000014